(57)【特許請求の範囲】
【請求項１】
電動作業機に対して電力を供給する電源装置と、その電源装置を背負うために使用されるハーネスとを備える背負式電源装置であって、
前記ハーネスは、作業者の背部に配置される背面板と、前記背面板を作業者の背部に保持する肩掛けベルトとを備えており、
前記ハーネスの背面板と、その背面板に合わせられる電源装置の前面とのいずれか一方には、軸部と、軸部の先端に形成されて、その軸部よりも大径の頭部とを備える複数の連結ピンが突出した状態で設けられており、
前記ハーネスの背面板と電源装置の前面とのいずれか他方には、前記複数の連結ピンに対応する位置に、各々の連結ピンが通される複数の長穴が形成されており、
前記長穴は、その長穴の一端部に形成されて、前記連結ピンの頭部が挿通可能な挿入部と、その長穴の他端部に形成されて、前記連結ピンの頭部が挿通不能で、軸部が挿通可能な固定部と、前記挿入部と固定部とをつなぎ、前記連結ピンの頭部が挿通不能で、前記軸部を径方向にガイド可能なガイド部とを備えており、前記ガイド部には、前記連結ピンの軸部を介して前記電源装置の重量を受けられるように構成された保持部が設けられている背負式電源装置。
【請求項２】
請求項１に記載された背負式電源装置であって、
前記長穴のガイド部に設けられた保持部は、前記ガイド部の幅寸法を狭めるように構成された凸部であり、前記連結ピンの軸部が前記ガイド部の凸部を通過する方向に所定以上の力を受けたときに、前記連結ピンの軸部は前記凸部を通過できるように構成されている背負式電源装置。
【請求項３】
請求項２に記載された背負式電源装置であって、
前記長穴のガイド部が略円弧状に形成されている背負式電源装置。
【請求項４】
請求項１に記載された背負式電源装置であって、
前記長穴のガイド部は、縦方向に延びる縦ガイド部と横方向に延びる横ガイド部とを備えており、前記横ガイド部が前記保持部として機能する背負式電源装置。
【請求項５】
請求項１から請求項４のいずれかに記載された背負式電源装置であって、
前記電源装置の前面に連結ピンが設けられて、前記ハーネスの背面板に長穴が設けられており、
前記長穴には、上端位置に挿入部が形成されて、下端位置に固定部が形成されている背負式電源装置。
【請求項６】
請求項１又は請求項２のいずれかに記載された背負式電源装置であって、
各々の長穴の挿入部に各々の連結ピンの頭部が挿通された状態で、前記背面板と前記電源装置とを相対回動させることで前記背面板と前記電源装置とが連結するように、各々の長穴が設けられている背負式電源装置。
【請求項７】
請求項１から請求項６のいずれかに記載された背負式電源装置であって、
前記ハーネスの背面板の右端部と右側の肩掛けベルト、あるいは前記背面板の左端部と左側の肩掛けベルトには、前記電動作業機を吊り支持するベルトのフックが掛けられるフック受け部が設けられている背負式電源装置。
【発明の詳細な説明】
【技術分野】
【０００１】
本発明は、電動作業機に対して電力を供給する電源装置と、その電源装置を背負うために使用されるハーネスとを備える背負式電源装置に関する。
【背景技術】
【０００２】
これに関連する従来の背負式電源装置が特許文献１に記載されている。特許文献１に記載の背負式電源装置１００は、図１７に示すように、セルに充電された電力を剪定バサミや生垣バリカン等の電動作業機に供給する電源装置１０２と、その電源装置１０２を背負うためのハーネス１０４とを備えている。ハーネス１０４は、作業者の背部に配置される背面板１０５と、前記背面板１０５を作業者の背部に保持する肩掛けベルト１０６と、腰ベルト１０７等から構成されている。
【先行技術文献】
【特許文献】
【０００３】
【特許文献１】特開２０１１−２１６３０４号公報
【発明の概要】
【発明が解決しようとする課題】
【０００４】
上記した背負式電源装置１００では、電源装置１０２は、一般的に、複数のネジ（図示省略）によりハーネス１０４の背面板１０５に固定される。このため、電源装置１０２をハーネス１０４の背面板１０５に固定したり、背面板１０５から取外すのに手間が掛かる。また、電源装置１０２とハーネス１０４の背面板１０５との間で上下の位置調整ができないため、例えば、肩掛けベルト１０６の上部に設けられた吊りベルト（図示省略）で電源装置１０２の上部を吊り支持する際に、吊りベルトを緩みなく張るのが難しい。
【０００５】
本発明は、上記問題点を解決するためになされたものであり、本発明が解決しようとする課題は、ハーネスの背面板に対する電源装置の固定、及び取外しを容易にするとともに、吊りベルトを緩みなく張れるようにすることである。
【課題を解決するための手段】
【０００６】
上記した課題は、各請求項の発明によって解決される。請求項１の発明は、電動作業機に対して電力を供給する電源装置と、その電源装置を背負うために使用されるハーネスとを備える背負式電源装置であって、前記ハーネスは、作業者の背部に配置される背面板と、前記背面板を作業者の背部に保持する肩掛けベルトとを備えており、前記ハーネスの背面板と、その背面板に合わせられる電源装置の前面とのいずれか一方には、軸部と、軸部の先端に形成されて、その軸部よりも大径の頭部とを備える複数の連結ピンが突出した状態で設けられており、前記ハーネスの背面板と電源装置の前面とのいずれか他方には、前記複数の連結ピンに対応する位置に、各々の連結ピンが通される複数の長穴が形成されており、前記長穴は、その長穴の一端部に形成されて、前記連結ピンの頭部が挿通可能な挿入部と、その長穴の他端部に形成されて、前記連結ピンの頭部が挿通不能で、軸部が挿通可能な固定部と、前記挿入部と固定部とをつなぎ、前記連結ピンの頭部が挿通不能で、前記軸部を径方向にガイド可能なガイド部とを備えており、前記ガイド部には、前記連結ピンの軸部を介して前記電源装置の重量を受けられるように構成された保持部が設けられている。
【０００７】
本発明によると、各々の連結ピンの頭部を対応する長穴の挿入部に挿通し、電源装置と背面板とを相対移動させて連結ピンの軸部を長穴のガイド部を経由して固定部まで移動させることで、連結ピンの頭部が長穴の周縁に掛かり、電源装置が背面板に固定される。このため、電源装置を複数のネジ等により背面板に固定する場合と比較して背面板に対する電源装置の固定、及び取外しが容易になる。また、前記長穴のガイド部には、前記連結ピンの軸部を介して前記電源装置の重量を受けられる保持部が設けられている。このため、連結ピンの軸部が長穴（ガイド部）の保持部の位置にある状態で、電源装置を背面板に仮固定できる。この状態で、例えば、肩掛けベルトの上部に設けられた吊りベルトで電源装置の上部を吊り支持すれば、この後、連結ピンの軸部を長穴（ガイド部）の保持部から固定部まで移動させることで、前記吊りベルトを緩みなく張ることができる。
【０００８】
請求項２の発明によると、長穴のガイド部に設けられた保持部は、前記ガイド部の幅寸法を狭めるように構成された凸部であり、前記連結ピンの軸部が前記ガイド部の凸部を通過する方向に所定以上の力を受けたときに、前記連結ピンの軸部は前記凸部を通過できるように構成されている。このため、連結ピンの軸部が長穴（ガイド部）の凸部の位置で保持された状態から意識的に力を加えて電源装置と背面板とを相対移動させることで、連結ピンの軸部が長穴の凸部を通過できるようになる。
【０００９】
請求項３の発明によると、長穴のガイド部が略円弧状に形成されている。このため、連結ピンの軸部に対して電源装置の重量が加わった場合でも、連結ピンの軸部が長穴のガイド部を比較的ゆっくりと移動できるようになる。
【００１０】
請求項４の発明によると、長穴のガイド部は、縦方向に延びる縦ガイド部と横方向に延びる横ガイド部とを備えており、前記横ガイド部が前記保持部として機能する。このため、背面板と電源装置とを横方向に相対移動させるだけで、連結ピンの軸部がガイド部の横ガイド部（保持部）を通過できるため、連結ピンの軸部がガイド部の保持部を通過する際に意識的に大きな力を加える必要がない。
【００１１】
請求項５の発明によると、電源装置の前面に連結ピンが設けられて、前記ハーネスの背面板に長穴が設けられており、前記長穴には、上端位置に挿入部が形成されて、下端位置に固定部が形成されている。このため、電源装置の重量を利用して連結ピンの軸部を背面板の長穴の固定部まで移動させ、連結ピンの軸部を確実に長穴の固定部に保持できる。
【００１２】
請求項６の発明によると、各々の長穴の挿入部に各々の連結ピンの頭部が挿通された状態で、前記背面板と前記電源装置とを相対回動させることで前記背面板と前記電源装置とが連結するように、各々の長穴が設けられている。
【００１３】
請求項７の発明によると、ハーネスの背面板の右端部と右側の肩掛けベルト、あるいは前記背面板の左端部と左側の肩掛けベルトには、前記電動作業機を吊り支持するベルトのフックが掛けられるフック受け部が設けられている。即ち、ハーネスの片側で、電動作業機をベルトによって吊り支持できるようになる。このため、ハーネスと電動作業機とがベルトを介してつながっている状態で、前記ハーネスを身体から外すことが可能になる。
【発明の効果】
【００１４】
本発明によると、ハーネスの背面板に対する電源装置の固定、及び取外しが容易になるとともに、吊りベルト等の緩みもなくすことができる。
【図面の簡単な説明】
【００１５】
【図１】本発明の実施形態１に係る背負式電源装置の全体斜視図である。
【図２】前記背負式電源装置のハーネスの背面板を前方から見た正面図である。
【図３】図２のIII矢視拡大図（連結ピン省略）である。
【図４】電源装置をハーネスの背面板に固定する途中を表す縦断面図（図２のIV-IV矢視断面図）である。
【図５】前記電源装置の連結ピンとハーネスの背面板の長穴との関係を表す正面図である。
【図６】前記電源装置の連結ピンとハーネスの背面板の長穴との関係を表す縦断面図（図４のVI矢視部の拡大分解図）である。
【図７】電源装置をハーネスの背面板に固定した状態を表す縦断面図である。
【図８】前記電源装置の連結ピンとハーネスの背面板の長穴との関係を表す正面図である。
【図９】前記電源装置の連結ピンとハーネスの背面板の長穴との関係を表す縦断面図（図７のIX矢視拡大図）である。
【図１０】変更例に係る電源装置の連結ピンとハーネスの背面板の長穴との関係を表す正面図（固定前）である。
【図１１】変更例１に係る電源装置の連結ピンとハーネスの背面板の長穴との関係を表す正面図（固定後）である。
【図１２】変更例２に係る電源装置の連結ピンとハーネスの背面板の長穴との関係を表す正面図である。
【図１３】変更例３に係る電源装置の連結ピンとハーネスの背面板の長穴との関係を表す正面図である。
【図１４】その他の変更例に係る背面板の長穴を表す正面図である。
【図１５】前記ハーネスのフック受け部等を表す側面図である。
【図１６】刈払機と、その刈払機を吊る吊りベルトとを表す斜視図である。
【図１７】従来の背負式電源装置の模式側面図である。
【発明を実施するための形態】
【００１６】
［実施形態１］
以下、図１から図１６に基づいて、本発明の実施形態１に係る背負式電源装置１０の説明を行なう。本実施形態に係る背負式電源装置１０は、セルの電力を電動作業機である刈払機５０（図１６参照）に供給する装置であり、作業者が背負って持ち運べるように構成されている。ここで、図中に示す前後左右、及び上下は、背負式電源装置１０の電源装置２０を起立させた状態（背負った状態）における前後左右、及び上下に対応している。
【００１７】
＜背負式電源装置１０の概要、及び電源装置２０について＞
背負式電源装置１０は、図１に示すように、電源装置２０と、その電源装置２０を背負うためのハーネス３０とから構成されている。電源装置２０は、複数本のセル（図示省略）と、前記セルの充放電を制御する電気回路（図示省略）とを収納する箱形樹脂製のケース２１を備えている。また、電源装置２０は、ケース２１から引き出された出力ケーブル２３を備えており、その出力ケーブル２３の先端に刈払機５０の電源接続部５２（図１６参照）に接続されるアダプタ２４が設けられている。
【００１８】
電源装置２０のケース２１の前面２１ｆ（以下、ケース前面２１ｆという）には、図２等に示すように、左右の端縁の上部と中央部と下部とに、ハーネス３０の背面板３２（後記する）との連結に使用される連結ピン２２が設けられている。連結ピン２２は、図６に示すように、ケース２１に埋め込まれる固定部２２ｃと、ケース前面２１ｆから突出する軸部２２ｊと、その軸部２２ｊの先端に設けられた円板状の頭部２２ｈとから構成されている。ここで、ケース前面２１ｆからの軸部２２ｊの突出寸法は、ハーネス３０の背面板３２の厚み寸法よりも一定寸法だけ大きな値に設定されている。即ち、ケース前面２１ｆが本発明の電源装置の前面に相当する。
【００１９】
前記連結ピン２２の固定部２２ｃと軸部２２ｊと頭部２２ｈとは同軸に設けられており、固定部２２ｃより軸部２２ｊが大径に、軸部２２ｊより頭部２２ｈが大径に形成されている。また、電源装置２０のケース２１の上部には、図１、図２に示すように、左右両側に吊りベルト３８（後記する）のフック３８ｆが掛けられる受け部２１ｕが設けられている。
【００２０】
＜ハーネス３０について＞
ハーネス３０は、図１に示すように、電源装置２０を背負うための背負子であり、電源装置２０のケース２１が固定される背面板３２と、左右の肩掛けベルト３４と、腰ベルト３６と、前記左右の吊りベルト３８とを備えている。前記吊りベルト３８は、上端部が肩掛けベルト３４の上部に固定されており、下端部に連結されたフック３８ｆが電源装置２０のケース２１の受け部２１ｕに掛けられるように構成されている。即ち、肩掛けベルト３４の上部に設けられた吊りベルト３８によって電源装置２０のケース２１が上方から吊り支持されるようになる。
【００２１】
＜ハーネス３０の背面板３２について＞
ハーネス３０の背面板３２は、図２〜図６に示すように、作業者の背部に配置される略角形の板であり、電源装置２０のケース前面２１ｆとほぼ等しい形状に成形されている。さらに、背面板３２の前面側には、図２、図４に示すように、左右の肩掛けベルト３４と一体化された主背面パッド３４ｂと、腰ベルト３６と一体化された下部背面パッド３６ｙとが連結されている。また、背面板３２には、図２に示すように、ケース前面２１ｆに設けられた連結ピン２２と対応する位置に各々の連結ピン２２が挿通される長穴４０が形成されている。
【００２２】
背面板３２の長穴４０は、図２に示すように、六個の長穴４０が等しい形状に成形されて、各々の長穴４０が縦向きに配置されている。長穴４０の上端部には、図３に示すように、ケース２１の連結ピン２２の頭部２２ｈが挿通可能な略円形の挿入部４３が形成されている。また、長穴４０の下端部には、連結ピン２２の頭部２２ｈが挿通不能で、軸部２２ｊが挿通可能な略半円形の固定部４５が形成されている。さらに、長穴４０の挿入部４３と固定部４５の間は、両者４３，４５をつなぐ円弧穴状のガイド部４７となっている。ガイド部４７は、図８に示すように、連結ピン２２の軸部２２ｊを径方向にガイド可能に構成されており、前記ガイド部４７の途中位置にそのガイド部４７の幅寸法を若干狭めるための凸部４７ｔが形成されている。そして、凸部４７ｔにより狭められたガイド部４７の幅寸法が連結ピン２２の軸部２２ｊの径寸法よりも若干小さな値に設定されている。また、凸部４７ｔ以外の位置のガイド部４７の幅寸法が前記軸部２２ｊの径寸法とほぼ等しい値（軸部２２ｊが挿通可能な値）に設定されている。
【００２３】
上記構成により、背面板３２の長穴４０の挿入部４３にケース２１の連結ピン２２が挿通されると、連結ピン２２の頭部２２ｈは背面版３２の前側に突出して軸部２２ｊが長穴４０内に配置される。そして、連結ピン２２の軸部２２ｊはガイド部４７に沿って下移動が可能になる。このとき、連結ピン２２の頭部２２ｈは背面版３２の前側から長穴４０のガイド部４７の周縁に係合する。この状態で、連結ピン２２の軸部２２ｊが長穴４０（ガイド部４７）の凸部４７ｔの位置まで到達すると、その軸部２２ｊはこの位置で停止する。即ち、背面板３２に対してケース２１が仮固定される。さらに、この状態から連結ピン２２の軸部２２ｊに対して長穴４０（ガイド部４７）の凸部４７ｔを通過する方向に所定以上の力を加えると、軸部２２ｊは長穴４０（ガイド部４７）の凸部４７ｔを通過して、固定部４５の位置まで下移動するようになる。ここで、前記所定の力は、［電源装置２０の重量］÷［連結ピン２２の数（６本）］にほぼ等しい値に設定されている。
【００２４】
＜ハーネス３０の背面板３２に対する電源装置２０（ケース２１）の取付けについて＞
ハーネス３０の背面板３２に電源装置２０のケース２１を取付けるには、図４〜図６に示すように、背面板３２の各々の長穴４０に対してケース前面２１ｆに設けられた各々の連結ピン２２を位置あわせし、長穴４０の挿入部４３に連結ピン２２を挿入する。そして、ケース前面２１ｆを背面板３２に面接触させる（図４参照）。この状態で、各々の連結ピン２２の頭部２２ｈは背面板３２の前側に突出するようになる。
【００２５】
次に、ハーネス３０の背面板３２と電源装置２０とを立てた状態で、電源装置２０の重量を利用して、その電源装置２０のケース２１を背面板３２に対して下方に変位させる。これにより、ケース２１の連結ピン２２の軸部２２ｊが、図８に示すように、背面板３２の長穴４０のガイド部４７に沿って下降するようになる。このとき、連結ピン２２の頭部２２ｈは背面板３２の前面側からガイド部４７の周縁に係合するため、ケース２１と背面板３２との連結は確保される。そして、ケース２１の連結ピン２２の軸部２２ｊが背面板３２の長穴４０（ガイド部４７）に形成された凸部４７ｔの位置に到達した段階で、背面板３２に対する電源装置２０（ケース２１）の下方移動が停止する。即ち、背面板３２に対して電源装置２０（ケース２１）が仮固定される。
【００２６】
この状態で、図７に示すように、左右の吊りベルト３８のフック３８ｆをそれぞれケース２１の左右の受け部２１ｕに掛け、左右の吊りベルト３８が張るように左右の吊りベルト３８の長さ調整を行なう。次に、ケース２１の連結ピン２２の軸部２２ｊが背面板３２の長穴４０（ガイド部４７）の凸部４７ｔを通過できるように、ケース２１に対して下方に所定の力を加える。これにより、図８、図９に示すように、ケース２１の連結ピン２２の軸部２２ｊが背面板３２の長穴４０（ガイド部４７）の凸部４７ｔを通過し、背面板３２に対してケース２１が下方に移動する。そして、連結ピン２２の軸部２２ｊが長穴４０の固定部４５と嵌合した状態で、背面板３２に対するケース２１の下方移動が停止し、ハーネス３０の背面板３２に対する電源装置２０（ケース２１）の取付けが完了する。このように、左右の吊りベルト３８の長さ調整を行なった位置から、ケース２１を背面板３２に対して長穴４０の凸部４７ｔから固定部４５までの高さ寸法分だけ下方に移動させることが可能になる。このため、左右の吊りベルト３８にさらに張力が加わり、吊りベルト３８が緩み難くなる。即ち、前記長穴４０（ガイド部４７）の凸部４７ｔが本発明のガイド部の保持部に相当する。
【００２７】
＜本実施形態に係る背負式電源装置１０の長所について＞
本実施形態に係る背負式電源装置１０によると、電源装置２０（ケース２１）の各連結ピン２２の頭部２２ｈを背面板３２の対応する長穴４０の挿入部４３に挿通し、電源装置２０（ケース２１）と背面板３２とを相対移動させて連結ピン２２の軸部２２ｊを長穴４０のガイド部４７経由で固定部４５まで移動させる。これにより、連結ピン２２の頭部２２ｈが長穴４０の周縁に掛かり、電源装置２０（ケース２１）が背面板３２に固定される。このため、電源装置２０（ケース２１）を複数のネジ等により背面板３２に固定する場合と比較して背面板３２に対する電源装置２０の固定、及び取外しが容易になる。また、背面板３２の長穴４０のガイド部４７には、連結ピン２２の軸部２２ｊを介して電源装置２０の重量を受けられる凸部４７ｔ（保持部）が設けられている。このため、連結ピン２２の軸部２２ｊが長穴４０（ガイド部４７）の凸部４７ｔ（保持部）の位置にある状態で、電源装置２０を背面板３２に仮固定できる。この状態で、肩掛けベルト３４の上部に設けられた吊りベルト３８により電源装置２０（ケース２１）の上部を吊り支持すれば、この後、電源装置２０の連結ピン２２の軸部２２ｊを背面板３２の長穴４０の固定部４５まで移動させることで、吊りベルト３８を緩みなく張ることができる。
【００２８】
また、長穴４０のガイド部４７が略円弧穴状に形成されているため、連結ピン２２の軸部２２ｊに対して電源装置２０の重量が加わった場合でも、連結ピン２２の軸部２２ｊが長穴４０のガイド部４７を比較的ゆっくりと移動できるようになる。また、背面板３２の長穴４０には上端位置に挿入部４３が形成されて、下端位置に固定部４５が形成されているため、電源装置２０の重量を利用して連結ピン２２の軸部２２ｊを背面板３２の長穴４０の固定部４５まで移動させ、連結ピン２２の軸部２２ｊを確実に長穴４０の固定部４５に保持できる。
【００２９】
＜変更例＞
ここで、本発明は上記実施形態に限定されるものではなく、本発明の要旨を逸脱しない範囲における変更が可能である。例えば、実施形態では、図２等に示すように、ハーネス３０の背面板３２に形成された長穴４０を全て同じ形状に成形し、背面板３２と電源装置２０（ケース２１）とを上下方向に相対移動させることで、長穴４０と連結ピン２２とを係合させる例を示した。しかし、図１０に示すように、各々の長穴４０の挿入部４３に各々の連結ピン２２が挿入された後、背面板３２と電源装置２０（ケース２１）とが回動中心Ｃの回りに相対回動することで連結ピン２２と長穴４０（固定部４５）とが係合するように、各々の長穴４０のガイド部（図番省略）の形状を設定することも可能である。また、図１２、図１３に示すように、長穴４０を全て同じ円弧形状に成形し、背面板３２と電源装置２０（ケース２１）とを上下左右に相対移動させながら長穴４０と連結ピン２２とを係合させる構成でも可能である。
【００３０】
また、図１４の左端、中央、及び右端に示すように、長穴４０のガイド部を縦ガイド部４７ｓと横ガイド部４７ｙとから横向きＴ字形、あるいは鉤形に形成することも可能である。これにより、横ガイド部４７ｙの位置で連結ピン２２の軸部２２ｊを介して電源装置２０の重量を受けられるようになる。即ち、ガイド部の横ガイド部４７ｙがガイド部の保持部として働くようになる。
【００３１】
また、図１４の左から二番目、右から二番目に示すように、長穴４０のガイド部を縦ガイド部４７ｓのみから形成し、縦ガイド部４７ｓの途中位置、あるいは挿入部４３との境界位置に縦ガイド部４７ｓの幅寸法を狭める凸部４７ｔを形成することも可能である。これにより、凸部４７ｔの位置で連結ピン２２の軸部２２ｊを介して電源装置２０の重量を受けられるようになる。即ち、縦ガイド部４７ｓの凸部４７ｔがガイド部の保持部として働くようになる。
【００３２】
＜その他＞
図１５、図１６に示すように、ハーネス３０の背面板３２の右端中央部と右側の肩掛けベルト３４の胸位置には、刈払機５０を吊り支持するベルト６０のハーネス側フック６５，６６が掛けられるフック受け部３２ｗ，３４ｗが設けられている。刈払機５０のベルト６０は、図１５に示すように、Ｖ字形状で刈払機５０を吊り支持するベルトである。ベルト６０は、図１５に示すように、長さ調整が可能なベルト本体６１と、そのベルト本体６１の長手方向両端にそれぞれ設けられたハーネス側フック６５，６６とを備えている。そして、ベルト本体６１がコネクタ６２の一端側に通されている。
【００３３】
コネクタ６２は、一端側と他端側とを相互に連結したり、その連結解除できるように構成されている。そして、コネクタ６２の他端側に刈払機側フック６３が設けられている。このため、図１６に示すように、ベルト６０のコネクタ６２を連結した状態で刈払機側フック６３を刈払機５０の止め輪５５に掛け、ハーネス側フック６５，６６をそれぞれハーネス３０のフック受け部３２ｗ，３４ｗに掛けることで、ハーネス３０の右側で刈払機５０を吊り支持できるようになる。このように、ハーネス３０の右側で刈払機５０を吊り支持できるため、ハーネス３０と刈払機５０とをベルト６０で連結した状態でハーネス３０（背負式電源装置１０）を身体から外すことが可能になる。なお、ハーネス３０の背面板３２の左端中央部と左側の肩掛けベルト３４とにフック受け部３２ｗ，３４ｗを設けることも可能である。
【００３４】
ここで、本実施形態では、電源装置２０のケース前面２１ｆに連結ピン２２を設け、ハーネス３０の背面板３２に長穴４０を設ける例を示したが、ケース前面２１ｆに長穴４０を設け、ハーネス３０の背面板３２に連結ピン２２を設けることも可能である。また、本実施形態では、電動作業機として刈払機５０を例示したが、電動作業機には、電動ヘッジトリマ、電動刈り払い機、電動芝刈り機、電動チェーンソー、電動レシプロソー、電動グラインダのみならず、電動マルノコ、電動ドリル、電動ドライバ等の電動工具も含むものとする。
【符号の説明】
【００３５】
１０・・・・背負式電源装置
２０・・・・電源装置
２１・・・・ケース
２１ｆ・・・ケース前面（電源装置の前面）
２２・・・・連結ピン
２２ｊ・・・軸部
２２ｈ・・・頭部
３０・・・・ハーネス
３２・・・・背面板
３２ｗ・・・フック受け部
３４ｗ・・・フック受け部
３４・・・・肩掛けベルト
４０・・・・長穴
４３・・・・挿入部
４５・・・・固定部
４７・・・・ガイド部
４７ｔ・・・凸部（保持部）
４７ｙ・・・横ガイド部（保持部）
４７ｓ・・・縦ガイド部
５０・・・・刈払機（電動作業機）
６０・・・・ベルト
【図１】
0006320894.tif 000002
【図２】
0006320894.tif 000003
【図３】
0006320894.tif 000004
【図４】
0006320894.tif 000005
【図５】
0006320894.tif 000006
【図６】
0006320894.tif 000007
【図７】
0006320894.tif 000008
【図８】
0006320894.tif 000009
【図９】
0006320894.tif 000010
【図１０】
0006320894.tif 000011
【図１１】
0006320894.tif 000012
【図１２】
0006320894.tif 000013
【図１３】
0006320894.tif 000014
【図１４】
0006320894.tif 000015
【図１５】
0006320894.tif 000016
【図１６】
0006320894.tif 000017
【図１７】
0006320894.tif 000018